(57)【要約】【課題】ソックス履いて革靴を履く場合、足がソックス中で滑り易く、ソックス自体も靴の中で動き易く、不本意に靴が脱げることがあるなど、履き心地が不安定でソックスと靴とが一体化しない。【解決手段】靴本体２および該靴に被せたソックス５からなり、靴の本底３と中底４との間に、ソックス５の底部を挟み込むことによって、該靴をソックスの下部内に組み込んだことを特徴とするソックスを外装した靴１を提供する。また、この靴は、新規な構成および形状を有し、履き心地を良くすると共に、履く人の下肢の美観を向上させることができる。【選択図】　　　　図２
0003099211.tif 000002
【実用新案登録請求の範囲】
【請求項１】
靴本体（２）および該靴に被せたソックス（５）からなることを特徴とするソックスを外装した靴（１）。
【請求項２】
靴の本底（３）と中底（４）との間に、ソックス（５）の底部を挟み込むことによって、該靴をソックスの下部内に組み込んだことを特徴とするソックスを外装した靴（１）。
【請求項３】
前記靴は皮革製婦人用ハイヒールである請求項１または２に記載のソックスを外装した靴（１）。
【考案の詳細な説明】
【０００１】
【考案の属する技術分野】
本考案は、ソックスを外装した新規な靴に関するものである。この靴は、靴本体と靴の本底と中底との間に挟み込んだソックスからなるものであり、靴本体をソックスの下部内に組み込んだ状態になっている。
靴は通常皮革製であり、特に婦人用の皮革製ハイヒールが好適である。本考案の靴は、着用する人の脛から足先の大部分をソックスで覆い、従来存在しない新しい美的外観を呈するもので、かつ靴を履いた場合に、靴全体が下肢に適合して、履き心地の良好な安定感を与えることを特徴とするブーツ状の靴である。
【０００２】
【従来の技術】
従来、本考案のような構成を有する革靴は未だ知られていない。
ソックスあるいはストッキングを履いて、革靴、たとえば、ハイヒールなどを履く場合、足がソックスやストッキングの中で滑り易く、あるいはソックス自体が靴の中で動き易く、足と靴とが一体的にならないことがある。特に厚手のソックスなどを履いてハイヒールを履くと不安定であるのみならず、全体的な美観をも損なう。
【０００３】
【考案が解決しようとする課題】
本考案の課題は、上記のような問題点を解消することを目的として考案したものである。すなわち、本考案は、ソックスと靴とが一体化して足によくフィットし、足元が細く引き締まって綺麗に見え、足が靴の中で滑り動くことがなく、不本意に脱げることがないという特徴を有する新規な靴を提供するものである。
【０００４】
【課題を解決するための手段】
すなわち、本考案の靴は、靴本体およびそれに外装したソックスからなるものである。なお、靴を製造する場合には、靴本体の本底と中底との間に、ソックスの底部を挟み込むことによって固定し、靴をそのソックスの下部内に組み込むことを特徴とする。
【０００５】
前記の靴は通常皮革製の靴であり、特に婦人用ハイヒールに応用すると好適である。
【０００６】
以下に本考案を、添付図面を参照し更に説明する。
図１および図２に示すように、本考案のソックスを外装した靴１は、靴本体２の本底３と中底４との間に、ソックス５の底部を挟み込むことによって、ソックス５と靴２とを一体化したものである。従って、靴全体はソックス５により覆われている。なお、飾り革（トウキャップ）６はソックスのつま先の上側に取り付けてあり、通常の革靴の飾り革と同様の外観を呈している。
【０００７】
本考案の靴１は上記のような構造を有するので、ソックスと靴とが一体になっており、靴全体が足によくフィットし、足がソックス内で不安定になって滑り動くことがなく、また脱げ難い。更に、外観も従来に類例がないものであり、足元が細く引き締まって綺麗に見えるという特徴を有する。
【０００８】
【考案の実施の形態】
以下に本考案のソックスを外装した靴１の製造方法の一例を説明する。
【０００９】
【実施例】
靴としてハイヒールを例にとり説明する。図３に示すように、まず、甲革７、中底４および木型８を準備する。これらの甲革７、中底４および木型８は従来のハイヒールの製造に使用する材料と同様であり、甲革７を木型８に被せ、木型８を上下反転して、中底４を木型に仮止めする。中底４には予めシャンク４ａが組み込まれているが、後の工程で別途に取り付けることもできる。
【００１０】
その後、甲革７の爪先、側部および踵部のつり込みしろを、ニッパーなどで引っ張りながら、中底４の周縁部を覆うようにしてつり込み、接着することによって図４に示すような仮止め物９を作る。なお、特に記載しないが、各部材のつり込みや接着では、必要に応じて起毛処理や小釘止めなどを行うことができ、また、それに先立って、月型芯や先芯などを付けるなど適宜に従来の方法を応用できることは言うまでもない。
【００１１】
本考案においては、これとは別個に、図５に示すようなソックス５を予め加工して準備する。ソックス５は、特に材質は限定されないが、ニットの厚手のものなどが適当である。
まず、ソックス５の爪先を切り開き、上側の爪先に飾り革６を縫い付ける。爪先部の下側の切り端にはほぐれ止め１０を縫い付ける。ソックスなどの素材は編物であるから切り口がほぐれ易いので、前記のほぐれ止め１０を縫い付けるが、この部分は後工程で切り取るので、切り口の繊維を接着剤などで固定してもよい。
【００１２】
次に、前記の仮止め物９を図５に示すソックス５の下方（図の左側）に挿入する。ソックス５の上半の脛部は省略して、足首から下の部分を図６に示す。
次に、飾り革６を既に挿入した中底４につり込み、ソックス下方のほぐれ止め１０および垂下部分１１を切り取る。
【００１３】
その後本底３をソックス５の底部を介して中底４に貼り付ける。次いで底周りのバリ切りを通常行うが、本考案ではソックスの周縁部が本底３の縁に接しているので、本底３の形状を予定の形状にあらかじめ裁断しておく必要がある。
この段階では、木型８に仮止めした中底４に甲革７、ソックス５および本底３などが一体的に接着されている。次に、中底４の仮止めを木型８から外し、ソックス５の脛部の上端から木型８を抜き取る。
【００１４】
木型８を抜き取った後、更にヒール１２の接着および釘打ちを行い、更に靴２の内側の中底４の上に中敷１４を貼り付ける。また、ヒール１２には通常の方法に従ってヒール巻革を表面に貼り付け、踵の下端にはトップリフト１３を打ち込むことによって、本考案のソックスを外装した靴１を得ることができる。
【００１５】
【考案の効果】
本考案のソックスを外装した靴は靴それ自体の構成は新規であり、また靴を履いた状態は従来例がない美的外観を呈する。
更に、本考案の靴は下肢にぴったりとフィットし、履き易く、脱げ難いという使用上の効果を奏する。
【図面の簡単な説明】
【図１】本考案の１実施例を示すソックスを外装した靴の斜視図である。
【図２】靴の足先部を切り欠いた一部断面斜視図である。
【図３】木型へ甲革および中底を取り付ける態様を示す展開斜視図である。
【図４】甲革、木型、中底からなる仮止め物の斜視図である。
【図５】ソックスの予備加工状態を示す斜視図である。
【図６】各部材の最終組立状態を示す展開斜視図である。
【符号の説明】
１　　ソックスを外装した靴
２　　靴本体
３　　本底
４　　中底
５　　ソックス
６　　飾り革
７　　甲革
８　　木型
９　　仮止め物
１０　　ほぐれ止め
１１　　垂下部分
１２　　ヒール
１３　　トップリフト
１４　　中敷
【図１】
0003099211.tif 000003
【図２】
0003099211.tif 000004
【図３】
0003099211.tif 000005
【図４】
0003099211.tif 000006
【図５】
0003099211.tif 000007
【図６】
0003099211.tif 000008